(57)【要約】      （修正有）【課題】ＰＣサーバ用の１本のラック内を、契約者のサーバ台数、規模に合せて自由に分割でき、サーバスペースを最適化した可変分割ラックを提供する。【解決手段】少なくとも、底板と、支柱３と、該支柱３の上面に取り付けた天板と、側面パネルとで囲繞される空間領域に、該空間領域を自由に分割できるユニット式分割板５を取り付けた可変分割ラックＡであって、前記ユニット式分割板５は、内部に一対のレールを設け、該レールに沿って移動するスライドコロを備えたスライド基部とからなり、一方の該スライド基部に接続した前部スライド扉５ａと他方の該スライド基部に接続した後部スライド扉５ｂとで構成されている。【選択図】図１
2006351573.tif 000002
【特許請求の範囲】
【請求項１】
少なくとも、四角形状の底板と、該底板の四隅近傍に垂設した支柱と、該支柱の上面に取り付けた四角形状の天板と、左右側面は縦長の側面パネルを有し、前記天板と前記底板と前記支柱と、前記左右側面パネルで囲繞される空間領域に、該空間領域を自由に分割できるユニット式分割板を取り付けた可変分割ラックであって、前記ユニット式分割板は、該分割板内部に一対のレールを設け、該レールに沿って移動するスライドコロを備えた一対のスライド基部とからなり、一方の該スライド基部に接続した前部スライド扉と他方の該スライド基部に接続した後部スライド扉とで構成されていることを特徴とする可変分割ラック。
【請求項２】
前記ユニット式分割板は、ラックの四方４本の支柱にボルトで固定されていることを特徴とする請求項１記載の可変分割ラック。
【請求項３】
前記前部スライド扉は、ユニット式分割板から前方に引き出され、９０度上方に折れて蓋となることを特徴とする請求項１又は２記載の可変分割ラック。
【請求項４】
前記後部スライド扉は、ユニット式分割板から後方に引き出され、９０度上方に折れて蓋となることを特徴とする請求項１乃至３のいずれか１項記載の可変分割ラック。
【請求項５】
前記前部スライド扉および後部スライド扉は、交換可能とし、分割領域の高さに合せた扉に交換して使用することを特徴とする請求項１乃至４のいずれか１項記載の可変分割ラック。
【請求項６】
前記前部スライド扉および後部スライド扉は、ユニット式分割板の前記スライド基部にボルトで固定することを特徴とする請求項１乃至５のいずれか１項記載の可変分割ラック。
【請求項７】
前記前部スライド扉および後部スライド扉は、該スライド扉の上部に鍵付き取っ手が取り付けられていることを特徴とする請求項１乃至６のいずれか１項記載の可変分割ラック。
【請求項８】
前記後部スライド扉には、脱着式換気用ファンが取り付けられていることを特徴とする請求項１乃至７のいずれか１項記載の可変分割ラック。
【発明の詳細な説明】
【技術分野】
【０００１】
本発明は、電子機器などを収納するための可変分割ラックに関するものであり、さらに詳しくは、ＰＣサーバ用の１本のラック内を、予め分割せずに契約者のサーバ台数、規模に合せてその都度自由に分割することができ、サーバスペースを最適化できるようにした可変分割ラックに関するものである。
【背景技術】
【０００２】
従来、インターネットデータセンター（ＩＤＣ）などにおける、Ｗｅｂサーバハウジング・ホスティングビジネスで使用するラックマウント型サーバは、電子機器などを収納するための、少なくとも、四角形状の底板と、該底板の四隅近傍に垂設した支柱と、該支柱の上面に取り付けた四角形状の天板とでなる本体と、該本体の前記天板と前記底板と前記支柱とで囲繞される空間に取り付けたパネルとでなるラックにおいて、前記天板に係合部を設け、前記パネルに係合部及び固定手段を設け、前記天板の係合部と前記パネルの係合部とが互いに係合可能で、係合状態で前記パネルの前記固定手段により前記パネルを前記本体に取り付けることができるラック（例えば、特許文献１参照。）や、図９に示すような従来のフルラック（Ｃ）や、図８に示すような４分割ラック（Ｂ）などの中に設置するのが一般的である。前記４分割ラック（Ｂ）に代表される分割ラックは、以下の特徴を持っている。（１）従来のフルラック（Ｃ）を分割し、分割したそれぞれの領域は他の分割領域を一切干渉しない。（２）それぞれの分割領域に設置した契約者（以下、ドメインと記す。）のサーバは、領域ごとに閉じて運用される。（３）これにより、各分割領域のドメインごとにセキュリティを保持することができる。
【０００３】
通常、サーバハウジングにおいては、ドメインがドメイン自身のサーバなどの機材を持ち込み、サーバの構築を行なうので、ドメインごとのセキュリティを保ち、ドメインのサーバ間での物理的な事故を防止するために、分割ラックの使用を前提としている。該分割ラックではなく、従来のフルラック（Ｃ）に複数のドメインのサーバを配置すると、任意のドメインが他のドメインのサーバに自由に触れられ、他のサーバのネットワークケーブルや電源ケーブルを（故意でなくとも）抜いたり、最悪の場合は、情報を盗んだり破壊されるなどのリスクが発生する可能性がある。特にセキュリティ事故については、サーバハウジングサービス会社などにとっては、責任上重大な過失となり、ビジネス自体が崩壊しかねない。
【０００４】
このようにサーバハウジングにおいては、分割ラックの使用が前提条件であるが、従来の分割ラックには以下の欠点がある。先ず、従来の分割ラックは最初から分割したものしかなく、１つの領域の容量を超えた数のサーバを運用する場合は、複数の分割領域にまたがって運用しなければならない。逆に、１台しかサーバを運用しないドメインにも１つの領域を割り当てる必要がある。セキュリティを確保するためには分割領域ごとにドメインを分けなければならず、大きなデッドスペースが出来てしまう。通常、分割ラックはサーバスペースごとに課金するので、１本のラックにより多くのドメインのサーバを設置し、スペースを有効活用するためには、自由にラックを分割できることが望ましい。
【０００５】
以下に先行技術文献を示す。
【特許文献１】特許第３０５３３８５号公報
【発明の開示】
【発明が解決しようとする課題】
【０００６】
本発明は、このような従来技術の問題点を解決しようとするものであり、ＰＣサーバ用の１本のラック内を、予め分割せずに契約者のサーバ台数、規模に合せてその都度自由に分割することができ、サーバスペースを最適化できるようにした可変分割ラックを提供することを目的とする。
【課題を解決するための手段】
【０００７】
本発明は、上記の課題を解決するために成されたものであり、本発明の請求項１に係る発明は、少なくとも、四角形状の底板（２）と、該底板（２）の四隅近傍に垂設した支柱（３）と、該支柱（３）の上面に取り付けた四角形状の天板（１）と、左右側面は縦長の側面パネル（４）を有し、前記天板（１）と前記底板（２）と前記支柱（３）と、前記左右側面パネル（４）で囲繞される空間領域に、該空間領域を自由に分割できるユニット式分割板（５）を取り付けた可変分割ラック（Ａ）であって、前記ユニット式分割板（５）は、該分割板（５）内部に一対のレール（６）を設け、該レール（６）に沿って移動するスライドコロ（７）を備えた一対のスライド基部（８）とからなり、一方の該スライド基部（８）に接続した前部スライド扉（５ａ）と他方の該スライド基部（８）に接続した後部スライド扉（５ｂ）とで構成されていることを特徴とする可変分割ラックである。
【０００８】
本発明の請求項２に係る発明は、請求項１記載の可変分割ラックにおいて、前記ユニット式分割板（５）は、ラックの四方４本の支柱（３）にボルトで固定されていることを特徴とする可変分割ラックである。
【０００９】
本発明の請求項３に係る発明は、請求項１又は２記載の可変分割ラックにおいて、前記前部スライド扉（５ａ）は、ユニット式分割板（５）から前方に引き出され、９０度上方に折れて蓋となることを特徴とする可変分割ラックである。
【００１０】
本発明の請求項４に係る発明は、請求項１乃至３のいずれか１項記載の可変分割ラックにおいて、前記後部スライド扉（５ｂ）は、ユニット式分割板（５）から後方に引き出され、９０度上方に折れて蓋となることを特徴とする可変分割ラックである。
【００１１】
本発明の請求項５に係る発明は、請求項１乃至４のいずれか１項記載の可変分割ラックにおいて、前記前部スライド扉（５ａ）および後部スライド扉（５ｂ）は、交換可能とし、分割領域（Ｓ）の高さに合せた扉に交換して使用することを特徴とする可変分割ラックである。
【００１２】
本発明の請求項６に係る発明は、請求項１乃至５のいずれか１項記載の可変分割ラックにおいて、前記前部スライド扉（５ａ）および後部スライド扉（５ｂ）は、ユニット式分割板（５）の前記スライド基部（８）にボルトで固定することを特徴とする可変分割ラックである。
【００１３】
本発明の請求項７に係る発明は、請求項１乃至６のいずれか１項記載の可変分割ラックにおいて、前記前部スライド扉（５ａ）および後部スライド扉（５ｂ）は、該スライド扉（５ａ、５ｂ）の上部に鍵付き取っ手（９）が取り付けられていることを特徴とする可変分割ラックである。
【００１４】
本発明の請求項８に係る発明は、請求項１乃至７のいずれか１項記載の可変分割ラックにおいて、前記後部スライド扉（５ｂ）には、脱着式換気用ファン（１０）が取り付けられていることを特徴とする可変分割ラックである。
【発明の効果】
【００１５】
本発明に係る可変分割ラックは、少なくとも、四角形状の底板と、該底板の四隅近傍に
垂設した支柱と、該支柱の上面に取り付けた四角形状の天板と、左右側面は縦長の側面パネルを有し、前記天板と前記底板と前記支柱と、前記左右側面パネルで囲繞される空間領域に、該空間領域を自由に分割できるユニット式分割板を取り付けた可変分割ラックであって、前記ユニット式分割板は、該分割板内部に一対のレールを設け、該レールに沿って移動するスライドコロを備えた一対のスライド基部とからなり、一方の該スライド基部に接続した前部スライド扉と他方の該スライド基部に接続した後部スライド扉とで構成されていること、また前記前部スライド扉および後部スライド扉は、それぞれユニット式分割板から引き出され、９０度上方に折れて蓋となり、さらに前部スライド扉および後部スライド扉は、交換可能とし、分割領域の高さに合せた扉に交換して使用すること、さらに該スライド扉の上部に鍵付き取っ手および脱着式換気用ファンが取り付けられていることなどにより、ＰＣサーバ用の１本のラック内を、契約者のサーバ台数、規模に合せてその都度自由に分割することができ、サーバスペースを最適化でき、該スペースを跨いだ配置がなくなり、分割領域に合せた扉を設置し、施錠できることで、該スペース内に設置したドメインのサーバのセキュリティを十分確保できるので、懸念されるようなセキュリティ事故も防止でき、さらに良好な環境下でサーバを維持できる。また、ラック内での作業時はスライド扉を分割板内に収納することにより、作業の邪魔にならず、蓋としてラック内空間を完全に密閉することでセキュリティを保つことができる。さらに後部スライド扉をファン着脱仕様とすることにより、後部スライド扉を交換しても換気用ファンを共有できるものである。
【発明を実施するための最良の形態】
【００１６】
本発明の実施の形態を図１〜図７に基づいて詳細に説明する。
【００１７】
図１は本発明に係る可変分割ラック（Ａ）のユニット式分割板（５）で区分された分割領域（Ｓ）部分の１実施例を示す部分側断面図であり、図２は本発明に係る可変分割ラック（Ａ）のユニット式分割板（５）を支柱（３）に固定した状態を示す斜視図であり、図３は本発明に係る可変分割ラック（Ａ）のユニット式分割板（５）を構成する前部スライド扉（５ａ）の要部を示す側断面図であり、図４の（ａ）は本発明に係る可変分割ラック（Ａ）のユニット式分割板（５）を構成する前部スライド扉（５ａ）の平面図であり、（ｂ）は前記前部スライド扉（５ａ）の側断面図であり、図５は本発明に係る可変分割ラック（Ａ）のユニット式分割板（５）を構成する後部スライド扉（５ｂ）の要部を示す側断面図であり、図６の（ａ）は本発明に係る可変分割ラック（Ａ）のユニット式分割板（５）を構成する後部スライド扉（５ｂ）の平面図であり、（ｂ）は前記後部スライド扉（５ｂ）の側断面図であり、図７は本発明に係る可変分割ラック（Ａ）の１実施例を示す斜視図である。
【００１８】
本発明に係る１実施例の可変分割ラック（Ａ）は、図７に示すように、少なくとも、四角形状の底板（２）と、該底板（２）の四隅近傍に垂設した支柱（３）と、該支柱（３）の上面に取り付けた四角形状の天板（１）と、左右側面は縦長の側面パネル（４）を有し、前記天板（１）と前記底板（２）と前記支柱（３）と、前記左右側面パネル（４）で囲繞される空間領域に、該空間領域を自由に分割できるユニット式分割板（５）を取り付けた可変分割ラック（Ａ）であって、前記ユニット式分割板（５）は、図１に示すように、該分割板（５）内部に少なくとも、前部スライド扉（５ａ）と後部スライド扉（５ｂ）とで構成されている。
【００１９】
前記ユニット式分割板（５）は、図２に示すように、ラックの四方４本の支柱（３）にボルトで固定されている。
【００２０】
前記ユニット式分割板（５）の内部構造と原理について、詳しく説明する。先ず、前部スライド扉（５ａ）を構成する仕組みは、図３に示すように、該分割板（５）内部の上側
に前部スライド扉（５ａ）用のレール（６）を設け、該レール（６）に前部スライド扉（５ａ）を自在に移動することできるスライドコロ（７）を備えたスライド基部（８）を取り付ける。次に、該スライド基部（８）に前部スライド扉（５ａ）を取り付けるが、前部スライド扉（５ａ）をドメインのサーバ台数、規模に対応した分割領域（Ｓ）の高さに合せた扉に交換できるようにボルトで固定する。該前部スライド扉（５ａ）は、ユニット式分割板（５）から前方に引き出され、ヒンジ部（８ａ）で９０度上方に折れて前部開口部の蓋となる。また、図４に示すように、該スライド扉（５ａ）の上部に鍵付き取っ手（９）を取り付け、施錠することで分割領域（Ｓ）内に設置したドメインのサーバのセキュリティを確保する。
【００２１】
次に、後部スライド扉（５ｂ）は、図５に示すように、該分割板（５）内部の下側に後部スライド扉（５ｂ）用のレール（６）を設け、該レール（６）に後部スライド扉（５ｂ）を自在に移動することできるスライドコロ（７）を備えたスライド基部（８）を取り付ける。次に、該スライド基部（８）に後部スライド扉（５ｂ）を取り付けるが、後部スライド扉（５ｂ）をドメインのサーバ台数、規模に対応した分割領域（Ｓ）の高さに合せた扉に交換できるようにボルトで固定する。該後部スライド扉（５ｂ）は、ユニット式分割板（５）から後方に引き出され、ヒンジ部（８ａ）で９０度上方に折れて後部開口部の蓋となる。尚、前記前部スライド扉（５ａ）用のレール（６）と後部スライド扉（５ｂ）用のレール（６）との間に通気ファン用設置スペース（１１）を設ける。また、図６に示すように、該スライド扉（５ｂ）の上部に鍵付き取っ手（９）を取り付け、施錠することで分割領域（Ｓ）内に設置したドメインのサーバのセキュリティを確保する。さらに該スライド扉（５ｂ）の上部の前記取っ手（９）の下部に脱着式換気用ファン（１０）を取り付け、サーバスペース内の環境を整える。
【００２２】
以上のように、本発明に係る可変分割ラック（Ａ）は、少なくとも、四角形状の底板（２）と、該底板（２）の四隅近傍に垂設した支柱（３）と、該支柱（３）の上面に取り付けた四角形状の天板（１）と、左右側面は縦長の側面パネル（４）を有し、前記天板（１）と前記底板（２）と前記支柱（３）と、前記左右側面パネル（４）で囲繞される空間領域に、該空間領域を自由に分割できるユニット式分割板（５）を取り付けた可変分割ラック（Ａ）であって、前記ユニット式分割板（５）は、該分割板（５）内部に一対のレール（６）を設け、該レール（６）に沿って移動するスライドコロ（７）を備えた一対のスライド基部（８）とからなり、一方の該スライド基部（８）に接続した前部スライド扉（５ａ）と他方の該スライド基部（８）に接続した後部スライド扉（５ａ）とで構成されていること、また前記前部スライド扉（５ａ）および後部スライド扉（５ｂ）は、それぞれユニット式分割板（５）から引き出され、９０度上方に折れて蓋となり、さらに前部スライド扉（５ａ）および後部スライド扉（５ｂ）は、交換可能とし、分割領域（Ｓ）の高さに合せた扉に交換して使用すること、さらに該スライド扉の上部に鍵付き取っ手および脱着式換気用ファンが取り付けられていることなどにより、ＰＣサーバ用の１本のラック内を、契約者のサーバ台数、規模に合せてその都度自由に分割することができ、サーバスペースを最適化でき、該スペースを跨いだ配置がなくなり、分割領域（Ｓ）に合せた扉を設置し、施錠できることで、該分割領域（Ｓ）内に設置したドメインのサーバのセキュリティを十分確保でき、懸念されるようなセキュリティ事故も防止できる。さらに脱着式換気用ファン（１０）によって、サーバスペース内の環境を良好に維持できる。また、ラック内での作業時はスライド扉（５ａ、５ｂ）を該分割板（５）内に収納することにより、作業の邪魔にならず、蓋としてラック内空間を完全に密閉することでセキュリティを保つことができる。さらに後部スライド扉（５ｂ）をファン着脱仕様とすることにより、後部スライド扉（５ｂ）を交換しても換気用ファン（１０）を共有できるものである。
【００２３】
以下に、本発明に係る可変分割ラック（Ａ）について、具体的に実施例を挙げて、さらに詳しく説明する。
【実施例１】
【００２４】
四角形状（幅５３２ｍｍ×奥行７００ｍｍ×厚さ２ｍｍ）の底板（２）と、該底板（２）の四隅近傍に垂設したアングル形状（幅４０×奥行４０×厚さ２ｍｍ）で高さ２０００ｍｍの支柱（３）と、該支柱（３）の上面に取り付けた四角形状（幅５３２ｍｍ×奥行７００ｍｍ×厚さ２ｍｍ）の天板（１）と、左右側面は縦長（幅７００ｍｍ×高さ２０００ｍｍ×厚さ２ｍｍ）の側面パネル（４）を有し、前記天板（１）と前記底板（２）と前記支柱（３）と、前記左右側面パネル（４）で囲繞される空間領域を有するフルラックを作製した。
【００２５】
次に、前記フルラックに取りつけるユニット式分割板（５）は、図３に示すように、該分割板（５）内部の上側に前部スライド扉（５ａ）用の長さ６９０ｍｍのレール（６）を設け、該レール（６）に前部スライド扉（５ａ）を自在に移動することできるスライドコロ（７）を備えたヒンジ部（８）付きの長さ２００ｍｍのスライド基部（８）を差し込む形態で取り付けた。次に、該スライド基部（８）に鍵付き取っ手（９）を取り付けた四角形状（幅４５２ｍｍ×高さ２００ｍｍ×厚さ２ｍｍ）で厚さが約４４．４ｍｍの１Ｕラックマウント型サーバを４台設置できる前部スライド扉（５ａ）をオーバーラップする形態でボルトを用いて取り付けた。
【００２６】
同様に、該分割板（５）内部の下側に後部スライド扉（５ｂ）用のレール（６）を設け、該レール（６）に後部スライド扉（５ｂ）を自在に移動することできるスライドコロ（７）を備えたスライド基部（８）を取り付けた。次に、該スライド基部（８）に上部に鍵付き取っ手および脱着式換気用ファンを取り付けた四角形状（幅４５２ｍｍ×奥行２００ｍｍ×厚さ２ｍｍ）の後部スライド扉（５ｂ）を取り付けた。
【００２７】
以上のようにして作製した、箱型形状（幅４５２ｍｍ×奥行７００ｍｍ×高さ４３ｍｍ）のユニット式分割板（５）を前記フルラックの空間領域に２００ｍｍピッチ（間隔）でボルトを用いて取り付けて可変分割ラック（Ａ）を得ることができた。
【００２８】
以上のようにして得られた、本発明に係る可変分割ラック（Ａ）は、前部スライド扉（５ａ）および後部スライド扉（５ｂ）が、それぞれユニット式分割板（５）から引き出され、９０度上方に折れて蓋となり、さらに前部スライド扉（５ａ）および後部スライド扉（５ｂ）は、契約者のサーバ台数、規模に合せてその都度自由に交換することができ、サーバスペースを最適化できた。また、それぞれの蓋は施錠できることで、ドメインのサーバのセキュリティを十分確保できた。さらに脱着式換気用ファンにより、良好な環境下でサーバを維持できた。ラック内での作業時はスライド扉（５ａ、５ｂ）を該分割板（５）内に収納することにより、作業の邪魔にならなかった。また、蓋としてラック内空間を完全に密閉することができたのでセキュリティを保つことができた。さらに後部スライド扉（５ｂ）をファン着脱仕様とすることにより、後部スライド扉（５ｂ）を交換しても換気用ファン（１０）を共有することができた。
【図面の簡単な説明】
【００２９】
【図１】本発明に係る可変分割ラックのユニット式分割板で区分された分割領域部分の１実施例を示す部分側断面図である。
【図２】本発明に係る可変分割ラックのユニット式分割板を支柱に固定した状態を示す斜視図である。
【図３】本発明に係る可変分割ラックのユニット式分割板の前部スライド扉の要部を示す側断面図である。
【図４】（ａ）は本発明に係る可変分割ラックのユニット式分割板の前部スライド扉の平面図であり、（ｂ）は前記前部スライド扉の側断面図である。
【図５】本発明に係る可変分割ラックのユニット式分割板の後部スライド扉の要部を示す側断面図である。
【図６】（ａ）は本発明に係る可変分割ラックのユニット式分割板の後部スライド扉の平面図であり、（ｂ）は前記後部スライド扉の側断面図である。
【図７】本発明に係る可変分割ラックの１実施例を示す斜視図である。
【図８】従来の４分割ラックの１実施例を示す斜視図である。
【図９】従来のフルラックの１実施例を示す斜視図である。
【符号の説明】
【００３０】
Ａ・・・可変分割ラック
Ｂ・・・４分割ラック
Ｃ・・・フルラック
１・・・天板
２・・・底板
３・・・支柱
４・・・側面パネル
５・・・ユニット式分割板  ５ａ・・・前部スライド扉  ５ｂ・・・後部スライド扉
６・・・レール
７・・・スライドコロ
８・・・スライド基部    ８ａ・・・ヒンジ部
９・・・鍵付き取っ手
１０・・・脱着式換気用ファン
１１・・・通気ファン用設置スペース
【図１】
2006351573.tif 000003
【図２】
2006351573.tif 000004
【図３】
2006351573.tif 000005
【図４】
2006351573.tif 000006
【図５】
2006351573.tif 000007
【図６】
2006351573.tif 000008
【図７】
2006351573.tif 000009
【図８】
2006351573.tif 000010
【図９】
2006351573.tif 000011